(57)【要約】【課題】  携帯無線端末装置に高価で電力消費の大きい文字または記号を表示するＬＣＤ等の表示部を実装しなくとも、特段の操作無く、携帯無線端末装置の各種状態を使用者が認識可能とすることである。【解決手段】  音声通話が可能な携帯無線端末装置であって、発信先への発呼操作及び着呼時の通話開始操作を行う操作部と、携帯無線端末装置の状態を表示する発光部とを備え、発光部は、携帯無線端末装置の電源投入がなされている場合には、通話が不可能な圏外にある状態と、通話が可能な圏内で待ち受けの状態と、通話が可能な圏内で発信先への発呼中または着呼中の状態と、通話が行われている状態のそれぞれの状態で発光パターンを変えて発光することで実現した。【選択図】図１
2007060283.tif 000002
【特許請求の範囲】
【請求項１】
音声通話が可能な携帯無線端末装置であって、発信先への発呼操作及び着呼時の通話開始操作を行う操作部と、携帯無線端末装置の状態を表示する発光部とを備え、発光部は、携帯無線端末装置の電源投入がなされている場合には、通話が不可能な圏外にある状態と、通話が可能な圏内で待ち受けの状態と、通話が可能な圏内で発信先への発呼中または着呼中の状態と、通話が行われている状態のそれぞれの状態で発光パターンを変えて発光することを特徴とする携帯無線端末装置。
【発明の詳細な説明】
【技術分野】
【０００１】
本発明は、携帯無線端末装置の状態を文字または記号で表示するための表示部であるＬＣＤ（Ｌｉｑｕｉｄ  Ｃｒｙｓｔａｌ  Ｄｉｓｐｌａｙ）等を有さない携帯無線端末装置で、携帯無線端末装置の状態を使用者が認識可能とする携帯無線端末装置に関する。
【背景技術】
【０００２】
携帯電話やパーソナルハンディフォン等の携帯無線端末装置では、携帯無線端末装置の状態として、通話の可否を判断するための圏内圏外や、電界強度や、電池残量や、発着呼中や、通話中の状態をＬＣＤ等を用いて表示することで、使用者が携帯無線端末装置の状態を認識可能としていた。しかしながら、携帯無線端末装置を構成する部品の中で、ＬＣＤ等の表示部分は、部品価格が高価となっており、また、表示させておくことによって消費電力が必要なため、電池の使用時間に影響し、つまりは携帯無線端末装置が使用できる時間的制限に影響が生じる。
【０００３】
このような中で、一定時間経過しても使用者の操作が発生しないときや、折りたたみにして表示部が隠れる場合には表示部の表示をやめて、消費電力を低減する技術がある。
このような技術では、着信時に発光素子であるＬＥＤ（Ｌｉｇｈｔ  Ｅｍｉｔｔｉｎｇ  Ｄｉｏｄｅ）等を用いて使用者に着信を知らせたり、使用者の操作によって初めてＬＥＤ等で携帯無線端末装置の電界強度を表示する技術が開示されている。しかしながら、使用者が、特段の操作無しに携帯無線端末装置の種々の状態を認識するのは不可能であり、使用者が各種状態を確認したい場合には、ＬＣＤ等を表示させ、その表示内容で各種状態を認識していた。
【特許文献１】特開２００２−６４５９８号公報
【発明の開示】
【発明が解決しようとする課題】
【０００４】
解決しようとする課題は、携帯無線端末装置に高価で電力消費の大きい文字または記号を表示するＬＣＤ等の表示部を実装しなくとも、特段の操作無く、携帯無線端末装置の各種状態を使用者が認識可能とすることである。
【課題を解決するための手段】
【０００５】
本発明は、上記課題を鑑みて為されたものであり、音声通話が可能な携帯無線端末装置であって、発信先への発呼操作及び着呼時の通話開始操作を行う操作部と、携帯無線端末装置の状態を表示する発光部とを備え、発光部は、携帯無線端末装置の電源投入がなされている場合には、通話が不可能な圏外にある状態と、通話が可能な圏内で待ち受けの状態と、通話が可能な圏内で発信先への発呼中または着呼中の状態と、通話が行われている状態のそれぞれの状態で発光パターンを変えて発光することを特徴とする。
【発明の効果】
【０００６】
本発明の携帯無線端末装置では、部品価格が高価であり、消費電力の発生により電池の使用時間に影響が大きい文字または記号を表示するＬＣＤ等の表示部を実装しなくとも、特段の操作無く、携帯無線端末装置の各所状態を使用者が容易に認識可能にできる点である。
【発明を実施するための最良の形態】
【０００７】
ＬＥＤなどの発光素子の発光パターンの相違を用いて、携帯無線端末装置の状態を使用者が容易に認識可能にすることで実現した。
【実施例１】
【０００８】
以下に本発明の実施の形態について図を用いて一実施例を説明する。
図１は本発明における携帯無線端末装置の外観構成の一実施例であり、図２は本発明においてＬＥＤが発光する各種状態とＬＥＤの発光パターンの対応を示す一実施例である。
図１に示すように、本発明における携帯無線端末装置の外観構成の一実施例では、電波の送受信が行われるアンテナ１と、発信先への発呼操作及び着呼時の通話開始操作を行う操作部２と、着信した音声を出力するスピーカと、発信先に音声を送るためのマイク４と、各種状態を使用者に認識させるためのＬＥＤ５を備えている。
図２は、本発明において上記ＬＥＤ５が発光する各種状態とＬＥＤの発光パターンの対応を示す一実施例である。電源が投入されていない状態では、ＬＥＤ５は常に消灯状態であり、電源が投入されている状態では、状態に応じてＬＥＤ５が点灯または異なったパターンで点滅をするものである。
本実施例では、電源が投入されている状態で、圏外、つまりは通話が不可能な状態であると、早い点滅を行い、例えば２００ｍｓの周期でＬＥＤ５が点灯と消灯を繰り返す。電源が投入されている状態で、圏内、つまりは通話が可能な状態である場合で、待ち受け状態であると、非常にゆっくりな点滅を行い、例えば１５００ｍｓの周期でＬＥＤ５が点灯と消灯を繰り返す。また、電源が投入されている状態で、圏内、つまりは通話が可能な状態である場合で、発呼中または着呼中であると、ゆっくりな点滅を行い、例えば７００ｍｓの周期でＬＥＤ５が点灯と消灯を繰り返す。さらに、電源が投入されている状態で、圏内、つまりは通話が可能な状態である場合で、通話中であると、ＬＥＤ５が点灯を続けるようにしている。
【０００９】
尚、上記では各種状態に応じての具体的点灯、点滅パターンを示したが、各種状態に対応する点灯、点滅パターンはどの様なパターンであっても、各種状態を使用者が認識できるものであればよいものである。
また、特に図示しないが、着信時等に報知音を発生するスピーカ等を用いて、ＬＥＤの点滅と共に着信を音で報知することももちろん可能であり、さらには、この報知音を圏外で通話が出来ない場合や、電池残量が少なくなった場合などに、携帯無線端末装置が使用できない状態または使用できなくなる状態であることを報知音で使用者に注意を促すようにしてもよい。
また、特に図示しないが、着信時等に振動を発生するバイブレータ等を用いて、上記同様に、ＬＥＤの点滅と共にバイブレータの振動で報知することももちろん可能であり、さらには、このバイブレータの振動を圏外で通話が出来ない場合や、電池残量が少なくなった場合などに、携帯無線端末装置が使用できない状態または使用できなくなる状態であることをバイブレータの振動で使用者に注意を促すようにしてもよい。
さらには、上記報知音またはバイブレータの振動を、点灯、点滅パターンと同じパターンで動作させれば、より使用者は各種状態を認識しやすくなる。
【図面の簡単な説明】
【００１０】
【図１】本発明における携帯無線端末装置の外観構成の一実施例
【図２】本発明においてＬＥＤが発光する各種状態とＬＥＤの発光パターンの対応を示す一実施例
【符号の説明】
【００１１】
１…アンテナ、２…操作部、３…スピーカ、４…マイク、５…ＬＥＤ
【図１】
2007060283.tif 000003
【図２】
2007060283.tif 000004